(57)【要約】【課題】２本の引き紐が連結されプルスイッチから最下端のつまみまでの長さが調整可能であって且つ見栄えがよいプルスイッチの引き紐装置を提供する。【解決手段】引き紐装置２０は、プルスイッチに一端が取着された第１の引き紐２２と、第１の引き紐２２が挿通され第１の引き紐２２の他端に設けた結び部２２ｂによって下方向への抜け止めがなされる第１のつまみと２３と、第１のつまみ２３の内側で第１の引き紐２２の結び部２２ｂに連結される接続環２４と、接続環２４に引っ掛けて折り返された第２の引き紐２５と、第２の引き紐２５において折り返された一方が挿通され当該一方の端に設けた結び部によって下方向への抜け止めがなされる第２のつまみ２６と、第２の引き紐２５において折り返された両方が第２のつまみ２６よりも上方で挿通される止め具および止め具が納装される第３のつまみ２７からなる長さ調整部材とを備える。【選択図】　　　図１
2004095367.tif 000002
【特許請求の範囲】
【請求項１】
プルスイッチに一端が取着された第１の引き紐と、第１の引き紐が挿通され第１の引き紐の他端に設けた結び部によって下方向への抜け止めがなされる第１のつまみと、第１のつまみの内側で第１の引き紐の結び部に連結される接続環と、接続環に引っ掛けて折り返された第２の引き紐と、第２の引き紐において折り返された一方が挿通され当該一方の端に設けた結び部によって下方向への抜け止めがなされる第２のつまみと、第２の引き紐において折り返された両方が第２のつまみよりも上方で挿通され第２の引き紐のうち接続環から第２のつまみ側へ折り返される長さを調整する長さ調整部材とを備えてなることを特徴とするプルスイッチの引き紐装置。
【請求項２】
前記第１の引き紐は、前記第１の引き紐の前記結び部に環状のリング部が設けられ、リング部に前記接続環が着脱自在に連結されてなることを特徴とする請求項１記載のプルスイッチの引き紐装置。
【請求項３】
前記長さ調整部材は、前記第２の引き紐において折り返された前記一方が摺動自在に挿通される第１の挿通孔および前記第２の引き紐において折り返された前記他方が挿通される第２の挿通孔それぞれが上下方向に貫設され且つ前記第２の引き紐の前記他方の端に設けた結び部によって下方向への抜け止めがなされる止め具と、前記第２の引き紐において折り返された両方が上方から挿入され内側に止め具が納装される第３のつまみとからなることを特徴とする請求項１または請求項２記載のプルスイッチの引き紐装置。
【請求項４】
前記止め具は、外周面において上下方向に沿って全長に亘って形成されて前記第１の挿通孔に連続し前記第２の引き紐を前記第１の挿通孔へ側方から導入可能とする第１のスリットと、外周面において上下方向に沿って全長に亘って形成されて前記第２の挿通孔に連続し前記第２の引き紐を前記第２の挿通孔へ側方から導入可能とする第２のスリットとが設けられてなることを特徴とする請求項３記載のプルスイッチの引き紐装置。
【請求項５】
前記止め具の下面には、前記第１の挿通孔と前記第２の挿通孔との間の部位から下方に突出し前記第２の引き紐において折り返された両方を離間させる仕切壁が突設されてなることを特徴とする請求項３または請求項４記載のプルスイッチの引き紐装置。
【発明の詳細な説明】
【０００１】
【発明の属する技術分野】
本発明は、プルスイッチの引き紐装置に関するものである。
【０００２】
【従来の技術】
従来より、プルスイッチから垂下する引き紐の長さを調整可能としたプルスイッチの引き紐装置として図８に示す構成のものが知られている（実開平４−１３３３３３号公報参照）。
【０００３】
この引き紐装置は、図示しないプルスイッチの操作レバーに連結可能な接続環４１と、接続環４１に引っ掛けられて折り返された引き紐４２と、引き紐４２において折り返された一方（図８において長い方）の端に設けられたつまみ４３と、引き紐４２において折り返された他方（図８において短い方）の端に設けられたつまみ４４と、引き紐４２において折り返された上記一方が挿通されて上側のつまみ４４の上方に位置し且つ引き紐４２において接続環４１から下側のつまみ４３まで折り返される長さを調整する長さ調整部材４５とを備えている。
【０００４】
ここに、上側のつまみ４４には、引き紐４２において折り返された両方が挿通される挿通孔４４ａが形成されている。また、長さ調整部材４５は、縦長の直方体状の形状に形成され、引き紐４２が挿通される２つの挿通孔４５ａ，４５ｂが上下方向に離間して形成されており、２つの挿通孔４５ａ，４５ｂにおいて引き紐４２の挿通方向を逆向きとしてある。したがって、長さ調整部材４５においては、引き紐４２の上記一方の一部がコ字状の形で保持されることになり、引き紐４２における長さ調整部材４５の位置をずらすことで、引き紐４２において接続環４１から下側のつまみ４３まで折り返される長さを調整することができる。
【０００５】
【発明が解決しようとする課題】
ところで、プルスイッチは各種電気機器に適用されるものであって、例えば照明器具に適用されるが、照明器具の設置状態における高さ位置によってはより長い引き紐が必要となる場合があるので、必要に応じて、プルスイッチの操作レバーなどに一端が取着された別の引き紐の他端へ図８に示した従来構成の引き紐装置の接続環４１を連結して使用することが考えられる。
【０００６】
しかしながら、別の引き紐の他端に上記接続環４１を連結する場合、上記別の引き紐の他端に設けられているつまみの下に上記接続環４１が位置することになるので、見栄えがよくなかった。
【０００７】
また、従来構成の引き紐装置では、引き紐４２において折り返された一方のみが長さ調整部材４５に挿通されているので、全体として接続環４１と上側のつまみ４４との間では左右非対称の外観形状となり、見栄えがよくなかった。
【０００８】
本発明は上記事由に鑑みて為されたものであり、その目的は、２本の引き紐が連結されプルスイッチから最下端のつまみまでの長さが調整可能であって且つ見栄えがよいプルスイッチの引き紐装置を提供することにある。
【０００９】
【課題を解決するための手段】
請求項１の発明は、上記目的を達成するために、プルスイッチに一端が取着された第１の引き紐と、第１の引き紐が挿通され第１の引き紐の他端に設けた結び部によって下方向への抜け止めがなされる第１のつまみと、第１のつまみの内側で第１の引き紐の結び部に連結される接続環と、接続環に引っ掛けて折り返された第２の引き紐と、第２の引き紐において折り返された一方が挿通され当該一方の端に設けた結び部によって下方向への抜け止めがなされる第２のつまみと、第２の引き紐において折り返された両方が第２のつまみよりも上方で挿通され第２の引き紐のうち接続環から第２のつまみ側へ折り返される長さを調整する長さ調整部材とを備えてなることを特徴とするものであり、第１の引き紐と第２の引き紐とが接続環を介して連結されるので、第２の引き紐のうち接続環から第２のつまみ側へ折り返される長さを調整する長さ調整部材を備えていることでプルスイッチから最下端の第２のつまみまでの長さが調整可能であって、しかも、接続環は第１のつまみの内側に配設され、また、長さ調整部材には第２の引き紐において折り返された両方が挿通されるので、見栄えをよくすることができる。
【００１０】
請求項２の発明は、請求項１の発明において、前記第１の引き紐は、前記結び部に環状のリング部が設けられ、リング部に前記接続環が着脱自在に連結されているので、前記第１の引き紐に対する前記第２の引き紐の着脱作業が容易になる。
【００１１】
請求項３の発明は、請求項１または請求項２の発明において、前記長さ調整部材は、前記第２の引き紐において折り返された前記一方が摺動自在に挿通される第１の挿通孔および前記第２の引き紐において折り返された前記他方が挿通される第２の挿通孔それぞれが上下方向に貫設され且つ前記第２の引き紐の前記他方の端に設けた結び部によって下方向への抜け止めがなされる止め具と、前記第２の引き紐において折り返された両方が上方から挿入され内側に止め具が納装される第３のつまみとからなるので、止め具によって前記第２の引き紐の前記他方の端を固定する機能と前記一方を摺動自在に保持する機能とを有し、止め具が納装される第３のつまみを備えていることにより見栄えをよくすることができる。
【００１２】
請求項４の発明は、請求項３の発明において、前記止め具は、外周面において上下方向に沿って全長に亘って形成されて前記第１の挿通孔に連続し前記第２の引き紐を前記第１の挿通孔へ側方から導入可能とする第１のスリットと、外周面において上下方向に沿って全長に亘って形成されて前記第２の挿通孔に連続し前記第２の引き紐を前記第２の挿通孔へ側方から導入可能とする第２のスリットとが設けられているので、組立時に前記第１の挿通孔および前記第２の挿通孔それぞれへ側方から前記第２の引き紐を導入することができ、前記第１の挿通孔および前記第２の挿通孔それぞれへ上下方向から前記第２の引き紐を挿入する場合に比べて組立作業が容易になる。
【００１３】
請求項５の発明は、請求項３または請求項４の発明において、前記止め具の下面には、前記第１の挿通孔と前記第２の挿通孔との間の部位から下方に突出し前記第２の引き紐において折り返された両方を離間させる仕切壁が突設されているので、前記第２の引き紐において折り返された前記一方を前記他方の端に設けた結び部に干渉されることなく摺動させることができ、前記第２の引き紐のうち前記接続環から前記第２のつまみ側へ折り返される長さの調整が容易になる。
【００１４】
【発明の実施の形態】
以下に説明する実施形態では、本発明のプルスイッチの引き紐装置を照明器具に適用した例を示すが、他の電気機器において同様の構成を適用してもよいことは勿論である。
【００１５】
まず、プルスイッチの引き紐装置を適用する照明器具について図５ないし図７を参照しながら説明する。本実施形態で説明する照明器具は、天井吊り下げ型の照明器具であって、天井面に固定されている引掛シーリング３１に機械的および電気的に接続される接続器３２と、接続器３２から導出した電源コード２が接続される灯具Ａとを備えている。なお、接続器３２は、先端部がＬ字状に折曲された一対の引掛栓刃が器体の上面から突設されており、各引掛栓刃を引掛シーリング３１の２つの栓刃挿入口にそれぞれ挿入した後に天井面に平行な面内で引掛シーリング３１に対して所定方向に回転させることで、引掛シーリング３１に対して機械的に結合されるとともに電気的に接続される。
【００１６】
灯具Ａは、外周形状が円形状に形成され電源コード２が接続される器具本体１と、器具本体１に設けられたランプソケット１１およびランプ支持ばね１２に保持される環形の２本の蛍光ランプＬａ１，Ｌａ２と、器具本体１の下面側に設けられたランプソケット１３に保持される豆球Ｌｂと、蛍光ランプＬａ１，Ｌａ２を囲むように器具本体１に取り付けられるセード３と、セード３の外周面側に取り付けられる飾り枠４とを備えている。なお、ランプ支持ばね１２は器具本体１の１つの直径方向（図６（ｂ）の左右方向）の一端側に設けられ、ランプソケット１１は当該直径方向の他端側に設けられている。
【００１７】
セード３は、透光性を有する合成樹脂製であって、下面が開口した直方体状の形状に形成されており、セード３の上壁３ａには器具本体１の上部が挿通される円形状の取付孔３ｂが開口されている。一方、器具本体１の外周面には全周にわたって外鍔部１０ｂが突設されており、外鍔部１０ｂの上面にセード３の上壁３ａにおける取付孔３ｂの周部が載置されるようになっている。
【００１８】
器具本体１には、蛍光ランプＬａ１，Ｌａ２を点灯させる電力を供給する点灯装置（図示せず）が内蔵されており、器具本体１の上面には電源コード２が接続される端子部１４および端子部１４の近傍で電源コード２を押える張力止め金具１５が設けられている。なお、電源コード２は、接続器３２から垂下する電源コード２の長さを調整するコードアジャスタ１９に挿通されており、電源コード２においてコードアジャスタ１９と端子部１４との間の部分の長さを調整することができるようになっている。また、器具本体１の上面側には電源コード２においてコードアジャスタ１９より下の部分を収納するコードカバー１７が配設されており、上述の端子部１４および張力止め金具１５などもコードカバー１７により覆われている。なお、上記点灯装置は、接続器３２を引掛シーリング３１に結合した状態で商用電源から給電される。
【００１９】
上記点灯装置はインバータ回路などを含む電子式安定器であって、図示しない回路基板に回路部品を実装して構成してある。すなわち、電源コード２を通して供給される低周波の商用電源を高周波電力に電力変換して蛍光ランプＬａ１，Ｌａ２を高周波で点灯させるように構成されている。上記回路基板の下面には、点灯状態を切り換えるための切換スイッチも実装されている。切換スイッチはプルスイッチであって、操作部としての引き紐装置２０が設けられている。この引き紐装置２０は、器具本体１の下面側においてプルスイッチの引き手１８に連結されている。上記点灯装置は、引き紐装置２０が引かれるたびに、蛍光ランプＬａ１，Ｌａ２を高出力で点灯させる状態（全点灯させる状態）、蛍光ランプＬａを低出力で点灯させる状態（調光点灯させる状態）、豆球Ｌｂのみを点灯させる状態、消灯状態の４つの状態を循環的に切り換えるようになっている。
【００２０】
以下、引き紐装置２０について図１ないし図５を参照しながら説明する。
【００２１】
引き紐装置２０は、上記プルスイッチに一端が取着された第１の引き紐２２と、第１の引き紐２２が挿通され第１の引き紐２２の他端に設けた結び部２２ｂによって下方向への抜け止めがなされる第１のつまみと２３と、第１のつまみ２３の内側で第１の引き紐２２の結び部２２ｂに着脱自在に連結される所謂Ｓ環からなる接続環２４と、接続環２４に引っ掛けて折り返された第２の引き紐２５と、第２の引き紐２５において折り返された一方（図３（ａ）における右側の部分）が挿通され当該一方の端に設けた結び部２５ａによって下方向への抜け止めがなされる第２のつまみ２６と、第２の引き紐２５において折り返された両方が第２のつまみ２６よりも上方で挿通され第２の引き紐２５のうち接続環２４から第２のつまみ２６側へ折り返される長さを調整するための止め具２８と、止め具２８が納装される第３のつまみ２７とを備えている。なお、上述の引き紐２２は、プルスイッチの引き手１８に着脱自在に連結された所謂Ｓ環からなる接続環２１に一端の結び部２２ａが連結されている。また、本実施形態では、第２の引き紐２５が第１の引き紐２２に対する延長用の引き紐を構成しており、止め具２８と第３のつまみ２７とで長さ調整部材を構成している。
【００２２】
ところで、第１の引き紐２２の下側の結び部２２ｂは、図２に示すような環状のリング部２２ｃが形成されるように第１の引き紐２２の端部を結んで形成してある。これに対して、第２の引き紐２５が引掛けられる接続環２４は、Ｓ字状に形成されているので、第１の引き紐２２の結び部２２ｂに設けたリング部２２ｃに着脱自在に連結できるとともに第２の引き紐２５を容易に引っ掛けることができ、第１の引き紐２２に対する第２の引き紐２５の着脱作業が容易になっている。したがって、例えば第２の引き紐２５が不要な場合には接続環２４を第１の引き紐２２の結び部２２ｂのリング部２２ｃから取り外せばよい。また、止め具２８によって第２の引き紐２５の長さ調整を行った後に第２の引き紐２５を接続環２４に引っ掛けることもできるから、第２の引き紐２５において接続環２４から第２のつまみ２６側へ折り返される長さを調整する作業が容易になる。
【００２３】
第１のつまみ２３は、下面が開口した砲弾形の形状に形成されており、内部空間が第１の引き紐２２の下側の結び部２２ｂを収納する収納室２３ａとなっている。また、第１のつまみ２３の上端部には、第１の引き紐２２が挿通される通し孔２３ｂが上下方向に沿って形成されており、通し孔２３ｂが収納室２３ａと連通している。通し孔２３ｂは、第１のつまみ２３の上下方向に直交する断面における形状が円形状であって、通し孔２３ｂの内径は第１の引き紐２２の外径よりも大きく且つ第１の引き紐２２の結び部２２ｂが抜けない程度の寸法に設定してある。
【００２４】
第２の引き紐２５が引っ掛けられる接続環２４は、当該接続環２４の大部分が第１の引き紐２２の結び部２２ｂとともに第１のつまみ２３の収納室２３ａに収納されるように大きさを設定してある。したがって、第２の引き紐２５が引っ掛けられる接続環２４は、第１のつまみ２３の内側で第１の引き紐２２の結び部２２ｂに連結されることになるので、見栄えがよくなる。
【００２５】
また、上述の止め具２８は、合成樹脂製であって、図４に示すような円柱状に形成され、２つの挿通孔２８ａ，２８ａが上下方向（図４（ａ）の上下方向）に貫設されている。ただし、止め具２８は下側から上側に近づくにつれて徐々に外径が小さくなっている。止め具２８の２つの挿通孔２８ａ，２８ａのうちの１つの挿通孔２８ａ（図３（ａ）における右側の挿通孔２８ａ）には、第２の引き紐２５において折り返された一方が摺動自在に挿通され、残りの１つの挿通孔２８ａ（図３（ａ）における左側の挿通孔２８ａ）には、第２の引き紐２５において折り返された他方が挿通される。ここに、止め具２８は、第２の引き紐２５の上記他方の端に設けた結び部２５ｂによって下方向への抜け止めがなされる。なお、本実施形態では、前者の挿通孔２８ａが第１の挿通孔を構成し、後者の挿通孔２８ａが第２の挿通孔を構成している。また、両挿通孔２８ａ，２８ａは、図４（ａ）における左右方向を止め具２８の左右方向とすれば、左右対象となる位置に同じ形状且つ同じ寸法で形成されている。しかして、本実施形態では、接続環２４と第２のつまみ２６との間の部分が正面視においてほぼ左右対象になるので、見栄えがよくなる。
【００２６】
止め具２８の下面には、両挿通孔２８ａ，２８ａの間の部位から下方に突出し第２の引き紐２５において折り返された両方を離間させる仕切壁２８ｃが突設されている。ここに、仕切壁２８ｃは、止め具２８の下面において両挿通孔２８ａ，２８ａを結ぶ直線に直交する径方向に沿って形成されている。したがって、止め具２８の下面に仕切壁２８ｃが突設されていることにより、第２の引き紐２５において折り返された上記一方を上記他方の端に設けた結び部２５ｂに干渉されることなく摺動させることができ、第２の引き紐２５のうち接続環２４から第２のつまみ２６側へ折り返される長さの調整が容易になる。
【００２７】
また、止め具２８は、外周面において上下方向に沿って全長に亘って形成されてそれぞれ挿通孔２８ａ，２８ａに連続するスリット（割溝）２８ｂ，２８ｂが両挿通孔２８ａ，２８ａそれぞれの外側に形成されており、各スリット２８ｂ，２８ｂは、両挿通孔２８ａ，２８ａを結ぶ直線に直交する方向の幅が、止め具２８を第３のつまみ２７に収納していない状態で第２の引き紐２５を挿通孔２８ａ，２８ａへ側方から導入可能とするような寸法に設定してある。ただし、各スリット２８ｂ，２８ｂは、両挿通孔２８ａ，２８ａを結ぶ直線に直交する方向の幅が両挿通孔２８ａ，２８ａよりも狭く設定されている。したがって、組立時に各挿通孔２８ａ，２８ａそれぞれへ側方から第２の引き紐２５を導入することができ、各挿通孔２８ａ，２８ａそれぞれへ上下方向から第２の引き紐２５を挿入する場合に比べて組立作業が容易になる。なお、本実施形態では、２つのスリット２８ｂ，２８ｂのうち上記第１の挿通孔となる挿通孔２８ａに連続するスリット２８ｂが第１のスリットを構成し、上記第２の挿通孔となる挿通孔２８ａに連続するスリット２８ｂが第２のスリットを構成している。
【００２８】
ところで、止め具２８が納装される第３のつまみ２７は、球冠状の形状であって、下面に止め具２８が下方から嵌入される収納凹所２７ａが形成されるとともに、上部に第２の引き紐２５において折り返された両方が上方から挿入され収納凹所２７ａに連通する通し孔２７ｂが形成されている。通し孔２７ｂの内径は、第２の引き紐２５の外径の２倍よりも大きく且つ止め具２８の外径よりも小さな寸法に設定してある。ここに、通し孔２７ｂの内径を接続環２４が挿入されるのを防止できる寸法に設定してあることは勿論である。また、収納凹所２７ａは、上下方向に直交する断面の形状が円形であって、上下方向において通し孔２７ｂに近づくほど内径が徐々に小さくなるように形成されており、止め具２８を嵌入したときに止め具２８が各スリット２８ｂ，２８ｂの幅が狭まるように引き締まるので、上記第１の挿通孔となる挿通孔２８ａに対して第２の引き紐２５を確実に摺動させることができる。
【００２９】
本実施形態では、止め具２８が第３のつまみ２７に納装されるので、見栄えをよくすることができる。なお、本実施形態では、止め具２８の上面から仕切壁２８ｃまでの寸法を、収納凹所２７の最大内径よりも大きな寸法に設定してあるので、止め具２８を収納凹所２７へ誤った向きで挿入するのを防止することができる。
【００３０】
また、上述の第２のつまみ２６は、下面が開口した円錐台状の形成にされており、内部空間が第２の引き紐２５の上記一方の端の結び部２５ａを収納する収納室２６ａとなっている。また、第２のつまみ２６の上壁は第２の引き紐２５が挿通される通し孔２６ｂが貫設されており、通し孔２６ｂが収納室２６ａと連通している。通し孔２６ｂは、第２のつまみ２６の上下方向に直交する断面における形状が円形状であって、通し孔２６ｂの内径は第２の引き紐２５の外径よりも大きく且つ第２の引き紐２５の結び部２５ａが抜けない程度の寸法に設定してある。
【００３１】
とろこで、図３（ａ）は第３のつまみ２７と第２のつまみ２６とを当接させて接続環２４と第２のつまみ２６との間の距離を最も短くした状態を示し、図３（ｂ）は第３のつまみ２７を接続環２４近傍に位置させて接続環２４と第２のつまみ２６との間の距離を最も長くした状態を示している。ここに、図３（ａ）に示した状態では接続環２４と第２のつまみ２６上の第３のつまみ２７との間では接続環２４にて折り返された第２の引き紐２５が２重になる（つまり、第２の引き紐２５が見掛け上、２本になる）ので、第２のつまみ２６を引っ張った時の跳ね返りが抑制され、ランプＬａ１，Ｌａ２が割れるのを防止することができる。
【００３２】
なお、本実施形態では、第２のつまみ２６が蓄光材料により形成してあるので、例えば夜間の就寝時などにおいて周囲が暗い場合でも第２のつまみ２６の位置を視認することが可能となる。また、本実施形態では、第２の引き紐２５を第１の引き紐２２の下端に連結された接続環２４に引っ掛けているが、第１の引き紐を取り外して、第２の引き紐２５をプルスイッチの引き手１８に連結された接続環２１に引っ掛けることも可能である。
【００３３】
【発明の効果】
請求項１の発明は、プルスイッチに一端が取着された第１の引き紐と、第１の引き紐が挿通され第１の引き紐の他端に設けた結び部によって下方向への抜け止めがなされる第１のつまみと、第１のつまみの内側で第１の引き紐の結び部に連結される接続環と、接続環に引っ掛けて折り返された第２の引き紐と、第２の引き紐において折り返された一方が挿通され当該一方の端に設けた結び部によって下方向への抜け止めがなされる第２のつまみと、第２の引き紐において折り返された両方が第２のつまみよりも上方で挿通され第２の引き紐のうち接続環から第２のつまみ側へ折り返される長さを調整する長さ調整部材とを備えてなるものであり、第１の引き紐と第２の引き紐とが接続環を介して連結されるので、第２の引き紐のうち接続環から第２のつまみ側へ折り返される長さを調整する長さ調整部材を備えていることでプルスイッチから最下端の第２のつまみまでの長さが調整可能であって、しかも、接続環は第１のつまみの内側に配設され、また、長さ調整部材には第２の引き紐において折り返された両方が挿通されるので、見栄えをよくすることができるという効果がある。
【００３４】
請求項２の発明は、請求項１の発明において、前記第１の引き紐は、前記結び部に環状のリング部が設けられ、リング部に前記接続環が着脱自在に連結されているので、前記第１の引き紐に対する前記第２の引き紐の着脱作業が容易になるという効果がある。
【００３５】
請求項３の発明は、請求項１または請求項２の発明において、前記長さ調整部材は、前記第２の引き紐において折り返された前記一方が摺動自在に挿通される第１の挿通孔および前記第２の引き紐において折り返された前記他方が挿通される第２の挿通孔それぞれが上下方向に貫設され且つ前記第２の引き紐の前記他方の端に設けた結び部によって下方向への抜け止めがなされる止め具と、前記第２の引き紐において折り返された両方が上方から挿入され内側に止め具が納装される第３のつまみとからなるので、止め具によって前記第２の引き紐の前記他方の端を固定する機能と前記一方を摺動自在に保持する機能とを有し、止め具が納装される第３のつまみを備えていることにより見栄えをよくすることができるという効果がある。
【００３６】
請求項４の発明は、請求項３の発明において、前記止め具は、外周面において上下方向に沿って全長に亘って形成されて前記第１の挿通孔に連続し前記第２の引き紐を前記第１の挿通孔へ側方から導入可能とする第１のスリットと、外周面において上下方向に沿って全長に亘って形成されて前記第２の挿通孔に連続し前記第２の引き紐を前記第２の挿通孔へ側方から導入可能とする第２のスリットとが設けられているので、組立時に前記第１の挿通孔および前記第２の挿通孔それぞれへ側方から前記第２の引き紐を導入することができ、前記第１の挿通孔および前記第２の挿通孔それぞれへ上下方向から前記第２の引き紐を挿入する場合に比べて組立作業が容易になるという効果がある。
【００３７】
請求項５の発明は、請求項３または請求項４の発明において、前記止め具の下面には、前記第１の挿通孔と前記第２の挿通孔との間の部位から下方に突出し前記第２の引き紐において折り返された両方を離間させる仕切壁が突設されているので、前記第２の引き紐において折り返された前記一方を前記他方の端に設けた結び部に干渉されることなく摺動させることができ、前記第２の引き紐のうち前記接続環から前記第２のつまみ側へ折り返される長さの調整が容易になるという効果がある。
【図面の簡単な説明】
【図１】実施形態を示し、一部破断した要部正面図である。
【図２】同上の要部説明図である。
【図３】同上の要部説明図である。
【図４】同上に用いる止め具を示し、（ａ）は一部破断した正面図、（ｂ）は側面図、（ｃ）は平面図、（ｄ）は下面図である。
【図５】同上を適用した照明器具の一部破断した正面図である。
【図６】同上を適用した照明器具の要部を示し、（ａ）は平面図、（ｂ）は下面図である。
【図７】同上を適用した照明器具におけるセードの下面図である。
【図８】従来例を示し、一部破断した正面図である。
【符号の説明】
２０　引き紐装置
２２　第１の引き紐
２２ｂ　結び部
２２ｃ　リング部
２３　第１のつまみ
２３ａ　収納室
２３ｂ　通し孔
２４　接続環
２５　第２の引き紐
２６　第２のつまみ
２７　第３のつまみ
【図１】
2004095367.tif 000003
【図２】
2004095367.tif 000004
【図３】
2004095367.tif 000005
【図４】
2004095367.tif 000006
【図５】
2004095367.tif 000007
【図６】
2004095367.tif 000008
【図７】
2004095367.tif 000009
【図８】
2004095367.tif 000010